(57)【要約】    【課題】  テープ媒体に記録された動画像中の一部を静止画ファイルとして抽出し、動画像撮影を中断せず静止画を記録することができる記録装置を提供する。    【解決手段】テープ媒体に動画像を記録している最中に、静止画撮影を意図したシャッターボタン２０９が押されると、撮影中の動画像の１シーンの記録位置を示す付加情報を生成し、これをサーチ画像（特殊再生画像）に付加する。そして、撮影後に付加情報が付いたサーチ画像をデジタルビデオカメラ内でサーチしたり、編集用コンピュータへ転送したりすることにより、撮影した動画像中の一部を静止画ファイルとして抽出し、保存や印刷等の処理を行う。【選択図】        図３
2007019636.tif 000002
【特許請求の範囲】
【請求項１】
通常再生用の動画像データと特殊再生用の画像データとをテープ状記録媒体に対して記録する記録装置において、
前記通常再生用の動画像データ中の一画面を指定する指定手段と、
前記通常再生用の動画像データ中の前記指定により指定された画面の前記テープ状記録媒体上における記録位置を示す付加情報を生成する付加情報手段と、
前記通常再生用の動画像データを前記テープ状記録媒体に記録すると共に、前記特殊再生用画像データを前記付加情報と共に前記テープ状記録媒体における特殊再生用画像の記録領域に記録する記録手段と
を備えたことを特徴とする記録装置。
【請求項２】
前記テープ状記録媒体上の特殊再生用画像の記録領域から前記特殊再生用画像データと付加情報とを再生する再生手段と、
前記再生手段により再生された前記特殊再生用画像データと付加情報とを装置外部に出力する出力手段とを備えたことを特徴とする請求項１記載の記録装置。
【請求項３】
請求項１または２に記載の記録装置から出力された画像を処理する画像処理装置であって、
前記記録装置から出力された特殊再生用画像を受信する受信手段と、
前記受信手段によって受信した特殊再生用画像の中から、前記付加情報が付加されている特殊再生用画像を検索して表示する表示手段と、
前記表示手段によって表示された特殊再生用画像の中から任意の特殊再生用画像を選択する選択手段と、
前記選択手段によって選択された特殊再生用画像に付加されている付加情報に従って、動画像を前記記録装置から取り込む動画像取り込み手段と
を備えたことを特徴とする画像処理装置。
【請求項４】
前記選択手段によって選択された特殊再生用画像に前記付加情報が付加されていない場合には、該特殊再生用画像の前後における任意の動画像の位置情報を前記付加情報の代わりに用いることを特徴とする請求項３に記載の画像処理装置。
【請求項５】
任意の時間又は画像枚数を設定する設定手段と、
前記設定手段によって設定した時間又は画像枚数の間隔をおいて、前記受信手段で受信した画像を表示する手段と
を更に備えたことを特徴とする請求項３又は４に記載の画像処理装置。
【請求項６】
前記動画像取り込み手段によって取り込んだ動画像のうちのフィールド又はフレーム画像に対して、任意の画像処理を行う画像処理手段と、
前記フィールド画像、前記フレーム画像、又は前記画像処理手段によって画像処理を行った画像を、静止画ファイルとして出力する出力手段とを
備えたことを特徴とする請求項３乃至５のいずれかに記載の画像処理装置。
【請求項７】
通常再生用の動画像データと特殊再生用の画像データとをテープ状記録媒体に対して記録する記録装置の制御方法において、
前記通常再生用の動画像データ中の一画面を指定する指定工程と、
前記通常再生用の動画像データ中の前記指定により指定された画面の前記テープ状記録媒体上における記録位置を示す付加情報を生成する付加情報工程と、
前記通常再生用の動画像データを前記テープ状記録媒体に記録すると共に、前記特殊再生用画像データを前記付加情報と共に前記テープ状記録媒体における特殊再生用画像の記録領域に記録する記録工程と
を実行することを特徴とする記録装置の制御方法。
【請求項８】
請求項１または２に記載の記録装置から出力された画像を処理する画像処理装置の制御方法であって、
前記記録装置から出力された特殊再生用画像を受信する受信工程と、
前記受信工程によって受信した特殊再生用画像の中から、前記付加情報が付加されている特殊再生用画像を検索して表示する表示工程と、
前記表示工程によって表示された特殊再生用画像の中から任意の特殊再生用画像を選択する選択工程と、
前記選択工程によって選択された特殊再生用画像に付加されている付加情報に従って、動画像を前記記録装置から取り込む動画像取り込み工程と
を実行することを特徴とする画像処理装置の制御方法。
【請求項９】
通常再生用の動画像データと特殊再生用の画像データとをテープ状記録媒体に対して記録する記録装置の制御方法を実行するための、コンピュータで読み取り可能な制御プログラムであって、
前記通常再生用の動画像データ中の一画面を指定する指定ステップと、
前記通常再生用の動画像データ中の前記指定により指定された画面の前記テープ状記録媒体上における記録位置を示す付加情報を生成する付加情報ステップと、
前記通常再生用の動画像データを前記テープ状記録媒体に記録すると共に、前記特殊再生用画像データを前記付加情報と共に前記テープ状記録媒体における特殊再生用画像の記録領域に記録する記録ステップと
を備えたことを特徴とする制御プログラム。
【請求項１０】
請求項１または２に記載の記録装置から出力された画像を処理する画像処理装置の制御方法を実行するための、コンピュータで読み取り可能な制御プログラムであって、
前記記録装置から出力された特殊再生用画像を受信する受信ステップと、
前記受信ステップによって受信した特殊再生用画像の中から、前記付加情報が付加されている特殊再生用画像を検索して表示する表示ステップと、
前記表示ステップによって表示された特殊再生用画像の中から任意の特殊再生用画像を選択する選択ステップと、
前記選択ステップによって選択された特殊再生用画像に付加されている付加情報に従って、動画像を前記記録装置から取り込む動画像取り込みステップと
を備えたことを特徴とする制御プログラム。
【発明の詳細な説明】
【技術分野】
【０００１】
本発明は、デジタルビデオカメラ等の記録装置及びその制御方法、前記記録装置からの画像を取り込んで処理する画像処理装置及びその制御方法、並びに前記制御方法を実行するための制御プログラムに関する。
【背景技術】
【０００２】
従来、デジタルビデオカメラ（以下、ＤＶＣ（Ｄｉｇｉｔａｌ  Ｖｉｄｅｏ  Ｃａｍｃｏｒｄｅｒ））などの動画像撮影装置において、静止画撮影の記録形態としては、主に、次のような２つの形態があった。一つは、動画像を記録するのと同じ記録媒体上に動画像ではなく静止画として記録するものであり、もう一つは、動画像記録用の媒体とは独立したメモリカードのような記録媒体にｊｐｅｇ圧縮方式を用いた静止画ファイルとして記録するものであった。
【０００３】
前者は、記録媒体にランダムアクセスが可能なＤＶＤやハードディスクなどを利用する映像装置においては、静止画記録用に独立した記録媒体がなくとも、記録媒体に対するランダムアクセス特性から、記録媒体への記録レートやシステムとして制約がなければ動画像と静止画の同時記録が可能になってきた。後者は、動画像撮影中でも、静止画記録用の記録媒体が独立しているために、ＣＣＤ（Ｃｈａｒｇｅ  Ｃｏｕｐｌｅｄ  Ｄｅｖｉｃｅ）など撮像部の読み出し速度や方法等に機能的な制約がなければ動画像と静止画の同時記録が可能である。
【０００４】
また、テープ媒体に映像を記録する映像記録再生装置では、例えばテープ媒体を早送りしてサーチ再生を行う場合に、通常のＭＰＥＧ記録ストリームデータをテープ媒体から読み取れないので、記録フォーマットに従ってサーチ画像再生専用のデータを、予めテープ媒体早送り時に記録／再生ヘッドが検出可能なテープ上の位置に特殊再生用画像として記録しておく手法が採られている（例えば、特許文献１参照）。
【特許文献１】特開２００２−２１６４３３号公報
【発明の開示】
【発明が解決しようとする課題】
【０００５】
しかしながら、記録媒体がテープ媒体である映像記録再生装置において、同じテープ媒体上に動画像と静止画を同時に記録することは、ランダムアクセスが行えない点や記録フォーマットの仕様の点から一般的には不可能であった。したがって、テープ媒体上に静止画を撮るためには動画像撮影を中断しなければならず、動画像撮影を中断せず動画像撮影中に静止画を記録するには、テープ媒体の他に静止画記録用のメモリが必要であった。
【０００６】
また、テープ媒体上に記録された静止画の任意のシーンを撮影後に頭出しして、ｊｐｅｇ形式などの電子ファイルとして保存したり、印刷したりすることは、手間のかかる作業であった。少しでも作業効率を上げるためには、ＤＶＣ外部のコンピュータ等の編集機器に対して、一旦、テープ媒体に記録された“全ての”データを、ＩＥＥＥ１３９４インタフェースなどを経由して取り出し、コンピュータ上のソフトウェアアプリケーション等で表示、加工、保存、印刷などの作業をする必要があった。
【０００７】
また、テープ媒体上へ静止画を高速に連写することはできない。
【０００８】
本発明は上記従来の問題点に鑑み、テープ媒体に記録された動画像中の一部を静止画ファイルとして抽出することを可能とし、動画像撮影を中断せずに静止画を撮ることができる記録装置及びその制御方法、画像処理装置及びその制御方法、並びに制御プログラムを提供することを目的とする。
【課題を解決するための手段】
【０００９】
本発明は上記目的を達成するため、通常再生用の動画像データと特殊再生用の画像データとをテープ状記録媒体に対して記録する記録装置において、前記通常再生用の動画像データ中の一画面を指定する指定手段と、前記通常再生用の動画像データ中の前記指定により指定された画面の前記テープ状記録媒体上における記録位置を示す付加情報を生成する付加情報手段と、前記通常再生用の動画像データを前記テープ状記録媒体に記録すると共に、前記特殊再生用画像データを前記付加情報と共に前記テープ状記録媒体における特殊再生用画像の記録領域に記録する記録手段とを備えたことを特徴とする。
【００１０】
また、本発明は、上記記録装置から出力された画像を処理する画像処理装置であって、前記記録装置から出力された特殊再生用画像を受信する受信手段と、前記受信手段によって受信した特殊再生用画像の中から、前記付加情報が付加されている特殊再生用画像を検索して表示する表示手段と、前記表示手段によって表示された特殊再生用画像の中から任意の特殊再生用画像を選択する選択手段と、前記選択手段によって選択された特殊再生用画像に付加されている付加情報に従って、動画像を前記記録装置から取り込む動画像取り込み手段とを備えたことを特徴とする。
【００１１】
また、本発明は、通常再生用の動画像データと特殊再生用の画像データとをテープ状記録媒体に対して記録する記録装置の制御方法において、前記通常再生用の動画像データ中の一画面を指定する指定工程と、前記通常再生用の動画像データ中の前記指定により指定された画面の前記テープ状記録媒体上における記録位置を示す付加情報を生成する付加情報工程と、前記通常再生用の動画像データを前記テープ状記録媒体に記録すると共に、前記特殊再生用画像データを前記付加情報と共に前記テープ状記録媒体における特殊再生用画像の記録領域に記録する記録工程とを実行することを特徴とする。
【００１２】
また、本発明は、上記記録装置から出力された画像を処理する画像処理装置の制御方法であって、前記記録装置から出力された特殊再生用画像を受信する受信工程と、前記受信工程によって受信した特殊再生用画像の中から、前記付加情報が付加されている特殊再生用画像を検索して表示する表示工程と、前記表示工程によって表示された特殊再生用画像の中から任意の特殊再生用画像を選択する選択工程と、前記選択工程によって選択された特殊再生用画像に付加されている付加情報に従って、動画像を前記記録装置から取り込む動画像取り込み工程とを実行することを特徴とする。
【００１３】
また、本発明は、通常再生用の動画像データと特殊再生用の画像データとをテープ状記録媒体に対して記録する記録装置の制御方法を実行するための、コンピュータで読み取り可能な制御プログラムであって、前記通常再生用の動画像データ中の一画面を指定する指定ステップと、前記通常再生用の動画像データ中の前記指定により指定された画面の前記テープ状記録媒体上における記録位置を示す付加情報を生成する付加情報ステップと、
前記通常再生用の動画像データを前記テープ状記録媒体に記録すると共に、前記特殊再生用画像データを前記付加情報と共に前記テープ状記録媒体における特殊再生用画像の記録領域に記録する記録ステップとを備えたことを特徴とする。
【００１４】
また、本発明は、上記記録装置から出力された画像を処理する画像処理装置の制御方法を実行するための、コンピュータで読み取り可能な制御プログラムであって、前記記録装置から出力された特殊再生用画像を受信する受信ステップと、前記受信ステップによって受信した特殊再生用画像の中から、前記付加情報が付加されている特殊再生用画像を検索して表示する表示ステップと、前記表示ステップによって表示された特殊再生用画像の中から任意の特殊再生用画像を選択する選択ステップと、前記選択ステップによって選択された特殊再生用画像に付加されている付加情報に従って、動画像を前記記録装置から取り込む動画像取り込みステップとを備えたことを特徴とする。
【発明の効果】
【００１５】
本発明によれば、テープ媒体に記録された動画像中の一部を静止画として扱うことが可能になり、その静止画を容易に処理することができる。これにより、動画像の記録中に静止画記録のために通常必要となるメモリ等が不要となり、しかも、静止画を記録するために動画像の記録処理を中断しなくても済むようになる。また、見かけ上、静止画の連射性能が動画像の撮影レートであるかのように取り扱うことも可能になる。
【発明を実施するための最良の形態】
【００１６】
本発明の記録装置及びその制御方法、画像処理装置及びその制御方法、並びに制御プログラムの実施の形態について、図面を参照しながら説明する。
【００１７】
［第１の実施の形態］
＜第１の実施の形態に係る映像記録再生装置のブロック構成＞
図１は、本発明の第１の実施の形態に係る記録装置であるＭＰＥＧ記録方式のデジタルビデオカメラの構成を示すブロック図である。
【００１８】
図１中の１０１は、ビデオカメラのレンズ部であって、不図示の被写体を撮像するためのズーム機能付きレンズである。１０２はＣＣＤ（Ｃｈａｒｇｅ  Ｃｏｕｐｌｅｄ  Ｄｅｖｉｃｅ）であって、レンズ部１０１で構成される光学系より入ってくる像を撮像する撮像素子である。１０３は撮像素子駆動部であって、カメラ信号処理部からのタイミングに従ってＣＣＤ１０２を駆動する。
【００１９】
１０４はＣＤＳ（Ｃｏｒｒｅｌａｔｅｄ  Ｄｏｕｂｌｅ  Ｓａｍｐｌｉｎｇ）／ＡＧＣ（Ａｕｔｏ  Ｇａｉｎ  Ｃｏｎｔｒｏｌｌｅｒ）部であって、ＣＣＤ１０２からのアナログ信号をサンプリングすると共に、システム制御部１１３からの制御により、信号レベルのゲインコントロールを行う。１０５はＡ／Ｄ（Ａｎａｌｏｇ  ｔｏ  Ｄｉｇｉｔａｌ）変換器であって、前段からのアナログ信号をデジタル信号に変換する。
【００２０】
１０６はカメラ信号処理部であって、タイミング生成や、ＡＥ（Ａｕｔｏ  Ｅｘｐｏｓｕｒｅ）制御、ＡＦ（Ａｕｔｏ  Ｆｏｃｕｓ）制御など、システム制御部１０８と連携して、カメラ撮像系の制御を担う。１０７はマイクであって、撮像系を経て入ってきた映像と合わせて周囲の音を記録するために集音する。
【００２１】
１０８は本発明の各制御手順を実行するためのシステム制御部であって、ここではＭＰＥＧ２のエンコード／デコードを担うＭＰＥＧコーデックと統合されている。本制御部１０８により、後述する図３で示すフローチャートのような各種制御手順を実行する。また、ＭＰＥＧコーデックは、通常再生用画像データに加え、特殊再生用画像データを生成する。具体的な動作は後述する。
【００２２】
１０９はメモリ制御部であって、汎用記憶部１１０へのアクセスを制御する。１１０は汎用記憶部であって、映像信号処理のバッファであると共に、本発明の各種制御を実現するための制御プログラム及びデータ等を納め、制御実行のために必要に応じて作業領域としても使用するＲＯＭやＲＡＭを総称している。
【００２３】
１１１は外部記録媒体接続インタフェースであって、ここでは、メモリカードのスロットとする。１１２は外部記憶媒体であって、ここではメモリカードとする。通常、このメモリカードに対しては、従来の手法による静止画撮影時にｊｐｅｇファイルを保存する。１１３は入力操作部であって、撮影スタート・ストップボタンや、選択ボタン、決定ボタン、静止画撮影用のシャッターボタンなどを備えている。
【００２４】
１１４は計時部であって、リアルタイムクロック（ＲＴＣ）とバックアップ電池を備え、日時をカウントしており、システム制御部１０８からの要求に応じて、日時情報を返信する。１１５はビデオ制御部であって、テープ記録／再生部１１６の制御を行う。１１６はテープ記録／再生部であって、ビデオ制御部１１５によりＭＰＥＧ方式のＨＤ（Ｈｉｇｈ  Ｄｅｆｉｎｉｔｉｏｎ：水平ライン数＝１０８０ｉ、７２０ｐなど、ｉはインターレス表示の略、ｐはプログレッシブ表示の略））フォーマットにエンコードされた映像信号をテープに記録又はテープから再生する。
【００２５】
１１７は表示部であって、ＥＶＦ（Ｅｌｅｃｔｒｉｃａｌ  Ｖｉｅｗ  Ｆｉｎｄｅｒ）やＬＣＤ表示パネルであり、テープ記録／再生部１１６で記録する際には撮像系からの入力映像を表示し、再生する際には、テープ媒体に記録されている映像を表示する。また、操作部１１３からのユーザによる入力操作情報や、外部記録媒体１１２内の任意の画像情報などを表示する。
【００２６】
１１８はライン出力部であって、アナログコンポーネント出力や、Ｓ端子出力、コンポジット出力などのインタフェースであり、外部ＴＶモニタ等に接続して、本デジタルビデオカメラからの映像出力をＴＶ画面に表示する。１１９はデジタルＩ／Ｆ部（ＩＥＥＥ１３９４インタフェース部）であって、デジタルビデオカメラ同士や、外部コンピュータなどの編集機器とケーブルで接続し、映像情報や各種制御情報をやり取りすることのできるデジタルインタフェースである。
【００２７】
＜本実施の形態に係るデジタルビデオカメラの外観＞
図２は、図１に示すデジタルビデオカメラの外観図である。
【００２８】
図中の２０１は本体であって、レンズ光学系１０１や、記録再生用のテープカセットを装脱着可能とした不図示の映像記録／再生部、ＥＶＦ（Ｅｌｅｃｔｒｉｃａｌ  Ｖｉｅｗ  Ｆｉｎｄｅｒ）２０２、各種機能スイッチ２０３、２０４、２０５、２０９、２１０などを備え、液晶表示パネル２０７が回動ヒンジ２０８により本体２０１に取り付けられている。電源のバッテリーは、本体に内蔵しているものとする。
【００２９】
２０２はＥＶＦ（Ｅｌｅｃｔｒｉｃａｌ  Ｖｉｅｗ  Ｆｉｎｄｅｒ）であって、液晶表示パネル２０７を使用しないときに、液晶表示パネル２０７を用いた場合と同様の内容を表示する。２０３は視度調整スライダであって、ＥＶＦ２０２を覗いた時にユーザの見易いように接眼レンズを前後して、ＥＶＦの焦点距離を調整するためのものである。
【００３０】
２０４はスタート／ストップボタンであって、ボタンの外周はモードダイヤルとなっており、ＯＦＦ、カメラ撮影モード、テープ再生モードなど、カメラの動作モードを回転させることで切り替えられる。通常の使用では、モードダイヤルを回転させてカメラモードにした後に、スタート／ストップボタン２０４を一度押すと撮影開始、二度押すと撮影スタンバイ、また三度押せば再び撮影開始といったように、トグル動作する。
【００３１】
２０５はズームスイッチであって、前後に押すことで、画角を望遠側にしたりワイド側に調整したりすることが可能である。１０１はレンズ光学系であって、被写体からの映像を本体２０１内部のＣＣＤ（Ｃｈａｒｇｅ−Ｃｏｕｐｌｅｄ  Ｄｅｖｉｃｅ  不図示）に結像させる。
【００３２】
２０７は液晶表示パネルであって、レンズ光学系１０１より入力される映像を表示したり、不図示のテープへの映像記録／再生部から再生される映像などを表示したり、上記各種機能スイッチ２０４、２０５、２０９、２１０などによる制御に関する表示を行う。また、ヒンジ２０８により、本体２０１に対して多方向に回動可能な構造となっている。
【００３３】
２０８はヒンジであって、液晶表示パネル２０７と本体２０１とをつなぎ、図２中のＸ軸及び直行するＹ軸をそれぞれ回転軸として、液晶表示パネル２０７は回動することが可能である。例えば、高い位置に持ち上げての撮影では表示画面を下方向に、低い位置に保持しての撮影では表示画面を上向きにするなどして、撮影者（不図示）が見易い角度に液晶表示パネル２０７を調整可能。また、機能的には回動ヒンジ２０８により液晶表示パネル２０７を動かしても、本体２０１内部と液晶表示パネル２０７を接続する電気信号配線（不図示）は、絡んだり引っ張られたりすることのない構造となっている。
【００３４】
２０９はシャッターボタンである。このシャッターボタン２０９を撮影スタンバイ状態で押すと静止テープ上に数秒間の動画像と同じ扱いで静止画を記録し、動画像撮影中に押すと、本実施の形態の特徴を成す動作を行う。即ち、シャッターボタン２０９が押された瞬間の動画像の位置情報を特殊再生用映像であるサーチ画の付加情報として生成する。２１０は機能スイッチであって、各種モード設定や、テープ再生モードのときの再生ボタンなどに使われる。
【００３５】
＜第１の実施の形態に係る制御手順＞
次に、上述した図１及び図２に示したＭＰＥＧ記録方式デジタルビデオカメラの制御手法について、図３を用いて説明する。図３は、本発明の第１の実施の形態に係るデジタルビデオカメラの制御手順を示すフローチャートである。
【００３６】
ステップＳ３０１のスタートでは、スタート／ストップボタン２０４の外周のモードダイヤルにおいて「ＯＦＦ」→「カメラ撮影モード」とされ、撮影スタンバイ状態になったものとする。次のステップＳ３０２では、先のモードダイヤルが「カメラ撮影モード」→「ＯＦＦ」など、「カメラ撮影モード」以外に変更されたかどうかを判断する。変更された場合には、ステップＳ３０８へ進み、ここでの制御モードは終了する。そのままであれば、ステップＳ３０３に進む。
【００３７】
ステップＳ３０３では、スタート・ストップボタン２０４が押されたかどうかを検出する。もし、ユーザによりスタート・ストップボタン２０４が押され、撮影開始を検出した場合にはステップＳ３０４に進む。そうでない場合には、ステップＳ３０２に進み制御を続ける。ステップＳ３０４では、ＭＰＥＧ方式のＨＤフォーマットにエンコードされた映像信号をサーチ再生用の特殊再生用画像などと合わせて、テープ記録／再生部１１６を通じてテープ媒体に記録する。
【００３８】
その後のステップＳ３０５では、スタート・ストップボタン２０４が押されたかどうかを検出する。もし、ユーザによりスタート・ストップボタン２０４が押され、撮影中断を検出した場合にはステップＳ３０３に戻る。そうでない場合には、ステップＳ３０６に進み制御を続ける。
【００３９】
ステップＳ３０６では、シャッターボタン２０９が押されたかどうかを検出する。もし、ユーザによりシャッターボタン２０９が押され、ユーザの意図としては静止画撮影が行われた時には、ステップＳ３０７へ進む。そうでない場合には、ステップＳ３０４に進み動画像撮影記録を継続する。
【００４０】
ステップＳ３０７では、ステップＳ３０６でのユーザによりシャッターボタン２０９が押され、ユーザの意図としては静止画撮影が行われたことを受けて、システム制御として、動画像の１シーンを静止画として扱うため、ＭＰＥＧストリーム中のＩフレームの位置を、特殊再生用画像であるサーチ画像の付加情報として生成して、サーチ画像の任意のＡＵＸデータ内に付加する。続いて、ステップＳ３０４に戻り、ＭＰＥＧ方式のＨＤフォーマットにエンコードされた映像信号と、付加情報を付けたサーチ画像と合わせて、テープ記録／再生部１１６を通じたテープ媒体への記録を継続する。そして、ステップＳ３０８において、本制御モードを終了する。
【００４１】
＜第１の実施の形態に係る制御イメージ＞
以上の制御は、図４に示すような制御イメージで表すことができる。図４は、図３で説明した第１の実施の形態に係る制御処理を補足するための制御イメージ図である。
【００４２】
図中の４０１は、記録映像データの流れを示しており、“４−１”が最初の撮影開始ポイントを表しており、ここから、“４−４”までが一つの連続したシーン“記録Ａ”であるとしている。同様に、“４−４”〜“４−５”までを“記録Ｂ”、“４−５”〜“４−１２”までを“記録Ｃ”とする。
【００４３】
４０２は、“記録Ａ”のＭＰＥＧストリーム中での主映像を表し、４０３は、“記録Ａ”のＭＰＥＧストリーム中での特殊再生用画像、ここではサーチ用映像の記録位置を表すものとする。４０４は、“記録Ｂ”のＭＰＥＧストリーム中での主映像を表している。４０５は、“記録Ｂ”のＭＰＥＧストリーム中での特殊再生用画像、ここではサーチ用映像の記録位置を表すものとする。４０６は、“記録Ｃ”のＭＰＥＧストリーム中での主映像を表している。４０７は、“記録Ｃ”のＭＰＥＧストリーム中での特殊再生用画像、ここではサーチ用映像の記録位置を表すものとする。
【００４４】
なお、図４においては、テープの長手方向に主画像領域と特殊再生領域とが分かれた形態で記載されているが、実際には、通常再生用画像データ（主画像）及び特殊再生用画像データ共に、テープ媒体上の多数のヘリカルトラックに対して記録され、更に、これら多数のトラックにおいて、不図示の回転ヘッドが特殊再生時（高速再生時）にトレースする軌跡に対応した位置に特殊再生用画像データのための記録領域を用意して記録している。
【００４５】
しかしながら、特殊再生用画像データの各画面のデータは、一つのトラック内の領域には記録しきれないため、複数のトラックの特殊再生用画像データ領域に亘って記録される。また、通常再生用動画像データにおけるｎフレーム毎に１フレームを抽出し、このｎフレーム毎に抽出した画像データを特殊再生用画像データとして記録する。そのため図４の例では、このｎフレーム毎に特殊再生用画像を抽出して記録する様子を４０３で示す。
【００４６】
図３のフローチャートによる制御により、ステップＳ３０３でスタート・ストップボタン２０４が押された場合、図４の“４−１”から撮影が開始され、ステップＳ３０４において、主映像Ａ４０２と特殊再生用画像Ａ４０３がＭＰＥＧストリームとして、テープ媒体に記録されていく。
【００４７】
ここで、ステップＳ３０６で、シャッターボタン２０９が押されたタイミングが、図４の“４−２”で指し示す主画像Ａ４０２の位置であるとした場合、ステップＳ３０７において、そのタイミングに対応した通常再生用動画像データ中のフレームのテープ媒体上の記録位置を検出する。そして、この静止画指示されたフレームの記録位置の情報並びにそれが静止画指示されたフレームであることを示す付加情報を生成し、その静止画指示の直後に抽出されて記録されるフレームの特殊再生用画像データ“４−３”のＡＵＸデータ内に前記付加情報を付加し、ステップＳ３０４でＭＰＥＧストリームとして記録する。
【００４８】
一方、“記録Ｃ”においては、ステップＳ３０６で、シャッターボタン２０９が押されたタイミングが、図４の“４−６”、“４−８”、“４−１０”の様に、連続したタイミングで押された場合では、それぞれのタイミングを動画像の１シーンを静止画として扱うものとして、ステップＳ３０７で各位置情報を付加情報として生成し、直後の特殊再生用画像“４−７”、“４−９”、“４−１１”それぞれのサーチ画像のＡＵＸデータ内に付加し、ステップＳ３０４でＭＰＥＧストリームとして記録する。
【００４９】
＜本実施の形態の利点＞
本実施の形態によれば、テープ媒体に映像記録するデジタルビデオカムコーダにおいて、動画像を記録している最中に、静止画撮影を意図したシャッターボタン２０９が押されたときに、撮影中の動画像の１シーンの記録位置を示付加情報を生成し、これをサーチ画像（特殊再生画像）に付加することが可能になる。この機能により、特に本実施の形態では詳細な説明を行わなかったが、撮影後に付加情報が付いたサーチ画像を例えば本デジタルビデオカメラ内でサーチすることにより、撮影した動画像中の一部を静止画として取り扱う位置を特定することができる。これにより、必要に応じて、動画像中の一部を静止画ファイルとして抽出して保存や印刷等を容易に行うことが可能になるため、動画像撮影中に静止画記録のために通常必要となるメモリ等が不要となり、しかも、静止画を撮るために動画像撮影を中断しなくても済む。また、見かけ上、静止画の連射性能が動画像の撮影レートであるかのように取り扱うことも可能になる。
【００５０】
要するに、静止画を動画像と分けて記録することなく、静止画として扱う動画像中の一部を付加情報として、通常記録映像とは独立したサーチ再生映像などの特殊再生映像と合わせて記録するようにしたので、動画像中で静止画として扱いたい部分を後から検索及びキャプチャするための簡便な仕組みが実現できる。
【００５１】
［第２の実施の形態］
第２の実施の形態が上記第１の実施の形態と異なる点は、第１の実施の形態に係る構成のデジタルビデオカメラと外部の映像編集装置とを組み合わせて、デジタルビデオカメラから、付加情報を伴った特殊再生用画像（サーチ画像）を映像編集装置へ転送し、その付加情報を伴った特殊再生用画像（サーチ画像）を表示、選択する機能を提供する点にある。更には、主映像である動画像中から付加情報で示された１シーンを外部の映像編集装置に選択的にキャプチャするシステムとしての構成を採っている点である。
【００５２】
＜第２の実施の形態に係るシステム構成＞
図５は、本発明の第２の実施の形態に係る映像編集システムの外観図である。
【００５３】
この映像編集システムは、上記第１の実施の形態で説明したデジタルビデオカメラ本体２０１と編集用コンピュータ本体５０２とがＩＥＥＥ１３９４ケーブル５０６を介して接続されている。編集用コンピュータ本体５０２は、映像をキャプチャして編集する機能を有するものとする。
【００５４】
ＩＥＥＥ１３９４ケーブル５０６は、デジタルビデオカメラ本体２０１に設けられたＩＥＥＥ１３９４のインタフェース（Ｉ／Ｆ）１１９と、編集用コンピュータ本体５０２に設けられたＩＥＥＥ１３９４のＩ／Ｆ５０５との間を接続し、映像やコントロール制御信号の双方向通信を行うための接続ケーブルである。
【００５５】
５０３はコンピュータのモニタであって、キャプチャした映像や、各種情報を表示するものである。５０４はコンピュータ５０２に指示を与えるキーボードであって、ユーザがキー入力することであって、各種オペレーションを行う。
【００５６】
図６は、図５中の編集用コンピュータの構成を示すブロック図である。
【００５７】
この編集用コンピュータは、ビデオＲＡＭ（ＶＲＡＭ）５０１、キーボード５０４、ＣＰＵ５０６、ＲＯＭ５０８、ＲＡＭ５０９、ハードディスクドライブ（ＨＤＤ）５１０、及びデジタルＩ／Ｆ５０５等の各デバイスが、Ｉ／Ｏバス（アドレスバス、データバス及び制御バスから成る）５０７を介して接続されている。
【００５８】
ＣＰＵ５０６は、ＲＯＭ５０８に記憶された制御プログラムに基づいて本装置の各ユニットを制御する。ＲＡＭ５０９は、ＣＰＵ５０６が実行する処理のワークエリアやエラー処理時の一時退避エリアとして用いられる。ハードディスクドライブ５１０は、各種のデータベースやアプリケーションプログラムなどの保存用に用いられる。
【００５９】
ビデオＲＡＭ５０１は、ディスプレイ装置５０２の画面に表示される文字やイメージを展開記憶するメモリであり、キーボード５０４は、入力に関する各種キーを備えている。
【００６０】
＜第２の実施の形態に係る制御手順＞
次に、本第２の実施の形態に係る制御手法について、図７を用いて説明する。
【００６１】
図７は、本発明の第２の実施の形態に係る編集用コンピュータの制御手順を示すフローチャートであり、ＣＰＵ５０６は、この制御手順に関する制御プログラムをＲＯＭ５０８からロードして実行する。
【００６２】
まずステップＳ６０１において、デジタルビデオカメラ２０１と映像編集用のコンピュータ（ＰＣ）５０２とをＩＥＥＥ１３９４ケーブル５０６で接続してスタートとする。次のステップＳ６０２では、キーボード５０４からのユーザのキー入力により、ＰＣ本体５０２において特殊再生用画像の受信待ち受け状態に入る指示があった場合に、ステップＳ６０３に進み、そうでない場合は、ステップＳ６０２で待機した状態とする。
【００６３】
ステップＳ６０３では、同様にキーボード５０４からのユーザのキー入力により、ＰＣ本体５０２から、ＩＥＥＥ１３９４ケーブル５０６を通じて、デジタルビデオカメラ２０１に対して、特殊再生用画像、ここではサーチ画の転送開始制御を行う。続くステップＳ６０４では、デジタルビデオカメラ２０１から送られてくるサーチ画を受けて、ＰＣ本体５０２内のメモリ又はＨＤＤ（不図示）へのキャプチャを開始する。
【００６４】
ステップＳ６０５では、サーチ画をＰＣモニタ５０３上に予め別途設定した時間間隔、若しくは動画像の枚数（フィールド若しくはフレーム枚数）間隔で、図８に示すようにサムネイル表示する。
【００６５】
ステップＳ６０６では、キャプチャ中のサーチ画において付加情報があるか否かを判定する。この付加情報は、シャッターボタン２０９が押された際の通常再生用の動画像データ中のフレームのテープ上の記録位置を示す情報である。付加情報がある場合には、ステップＳ６０５に進み、サーチ画のサムネイルとして追加表示する。付加情報が無い場合にはステップＳ６０７に進む。
【００６６】
ステップＳ６０７では、キーボード５０４からのユーザのキー入力によりＰＣ本体５０２に対して受信終了指示があったか否かを判定し、受信終了指示があった場合には、ステップＳ６０９に進み、受信終了指示が無い場合にはステップＳ６０８へ進む。
【００６７】
ステップＳ６０８では、予め別途設定した時間間隔、若しくは動画像の枚数（フィールド若しくはフレーム枚数）間隔が経過したかどうかを計時部１１４又は映像カウンタ値により判定し、経過していない場合は、ステップＳ６０７に戻り、経過した場合には、ステップＳ６０５へ戻り、サーチ画をサムネイルとして追加表示する。
【００６８】
ステップＳ６０９では、ステップＳ６０７での受信終了指示を受けて、ＰＣ本体５０２からＩＥＥＥ１３９４ケーブル５０６を通じて、デジタルビデオカメラ２０１に対して、特殊再生用画像、ここではサーチ画の転送終了制御を行い、ステップＳ６１０において本制御モードを終了する。
【００６９】
そして、ユーザは、キーボード５０４を操作して、図８に示すように、表示したサーチ画像より、静止画データとして保存や印刷を行いたい画像を選択する。すると、ＣＰＵ５０６は、ビデオカメラ２０１に対し、選択されたサーチ画像の付加情報に示された通常再生用の動画像データ中の特定フレームのデータを再生して送信するよう、制御信号を出力し、その結果送られた動画像データ中の特定フレームのデータを静止画像として保存する。
【００７０】
なお、ビデオカメラ２０１から送られた動画像データのうちの特定フレーム（または特定フィールド）のデータ画像に対して任意の画像処理を施し、その得られた画像を静止画ファイルとして保存したり、印刷したりすることも可能である。
【００７１】
＜第２の実施の形態の利点＞
このように、第２の実施の形態に係る映像編集システムによれば、デジタルビデオカメラ１０１から、付加情報を伴った特殊再生用画像（サーチ画像）を編集用コンピュータ５０２へ転送し、その付加情報を伴ったサーチ画像を表示、選択する機能を提供することができる。これにより、上記第１の実施の形態と同様に動画像中の一部を静止画ファイルとして抽出することが可能になるので、通常、静止画記録のために別途必要となるメモリ等が不要となり、動画像も途切れることなく、静止画を撮ることができる。
【００７２】
特に、動画像よりもデータ量の少ないサーチ画像で転送を行うことにより、動画像中の静止画として扱う画像位置を容易に特定することができる。具体的には、静止画データの転送抽出時において、まずは、動画像よりもデータ量の少ないサーチ画像を送ることにより、例えば、図８に示すように、表示したサーチ画像に対してチェックを入れることで、静止画データとして保存や印刷を行いたい映像シーンを動画像中から容易に特定することが可能になる。これにより、サーチ画像に付加情報として付けられた動画像の位置情報に基づいて、必要となる動画像の一部を選択的に編集用コンピュータへ転送し、静止画データとして取得して、加工や印刷等を行うことが容易に実現可能となる。
【００７３】
また、前記のチェックを入れて選択したサーチ画像に付加情報が付加されていない場合には、該サーチ画像の前後における任意の動画像の位置情報を前記付加情報の代わりに用いるようにしても良い。
【００７４】
なお、上記各実施の形態の記録装置は、各種映像装置に適用が可能であるが、特に、ＨＤモード対応の高解像度ＤＶＣに適用することにより、その映像が高解像度である特色を活かして、より優れた効果を期待することができる。
【００７５】
また、本発明の目的は、実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出して実行することによっても達成される。
【００７６】
この場合、記憶媒体から読み出されたプログラムコード自体が前述した実施の形態の機能を実現することになり、そのプログラムコード及び該プログラムコードを記憶した記憶媒体は本発明を構成することになる。
【００７７】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、テープ媒体、不揮発性のメモリカード、ＲＯＭ等を用いることができる。又は、プログラムコードをネットワークを介してダウンロードしてもよい。
【００７８】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００７９】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれる。
【００８０】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００８１】
【図１】第１の実施の形態に係るデジタルビデオカメラの構成を示すブロック図である。
【図２】図１中のデジタルビデオカメラの外観図である。
【図３】第１の実施の形態に係る制御手順を示すフローチャートである。
【図４】第１の実施の形態に係る制御処理を補足するための制御イメージ図である。
【図５】第２の実施の形態に係る映像編集システムの外観図である。
【図６】図５中の編集用コンピュータの構成を示すブロック図である。
【図７】第２の実施の形態に係る制御手順を示すフローチャートである。
【図８】第２の実施の形態に係る編集用コンピュータの一表示画面を示す図である。
【符号の説明】
【００８２】
１０８  システム制御部／ＭＰＥＧコーデック
１０９  メモリ制御部
１１０  汎用記憶部
１１３  入力操作部
１１５  ビデオ制御部
１１６  テープ記録／再生部
１１７  表示部
１１９  デジタルＩ／Ｆ部
２０１  デジタルビデオカメラ
２０９  シャッターボタン
２０４  スタート／ストップボタン
５０２  編集用コンピュータ
５０６  ＩＥＥＥ１３９４ケーブル
【図１】
2007019636.tif 000003
【図２】
2007019636.tif 000004
【図３】
2007019636.tif 000005
【図４】
2007019636.tif 000006
【図５】
2007019636.tif 000007
【図６】
2007019636.tif 000008
【図７】
2007019636.tif 000009
【図８】
2007019636.tif 000010